(57)【要約】【課題】生理用ナプキンをコンパクトな形状に折り込むことにより携行に便利で、着用時にはカバーシートの折り跡の手直しを必要とせず、かつ体液等の漏れを防止することができるようにした吸収性物品の個別包装方法を提供する。【解決手段】少なくとも、透液性を有するトップシートと、不透液性を有するバックシートと、前記シート間に介在する吸収体とにより本体が形成され、該本体の前記バックシートの外面に下着の内面に貼着する止着部が形成され、前記止着部の表面をカバーシートで貼着されて成る吸収性物品において、前記カバーシートを長手方向と直交する方向に設定された複数本の折り込み線に沿って内側に折り込んだ後、前記直交する方向に二つ折りにする。【選択図】図１
2004290541.tif 000002
【特許請求の範囲】
【請求項１】
少なくとも透液性を有するトップシートと、不透液性を有するバックシートと、前記シート間に介在する吸収体とにより本体が形成され、該本体の前記バックシートの外面に下着の内面に貼着する止着部が形成され、前記止着部の表面がカバーシートで貼着されて成る吸収性物品において、前記カバーシートを長手方向と直交する方向に設定された複数本の折り込み線に沿って内側に折り込んだ後、前記直交する方向に二つ折りして成ることを特徴とする吸収性物品の個別包装方法。
【請求項２】
前記カバーシートは、２本の折り込み線に沿って長手方向に三つ折りにされていることを特徴とする請求項１に記載の吸収性物品の個別包装方法。
【請求項３】
少なくとも透液性を有するトップシートと、不透液性を有するバックシートと、前記シート間に介在する吸収体とにより本体が形成され、該本体の前記バックシートの外面に下着の内面に貼着する止着部が形成され、該止着部を保護する離型紙が貼着され、個装袋に収納されて成る吸収性物品において、前記本体及び前記離型紙を長手方向と直交する方向に設定された複数本の折り込み線に沿って内側に折り込み、前記個装袋に収納した後、該個装袋を前記直交する方向に二つ折りして成ることを特徴とする吸収性物品の個別包装方法。
【請求項４】
前記本体及び前記離型紙は、２本の折り込み線に沿って長手方向に三つ折りにされていることを特徴とする請求項３に記載の吸収性物品の個別包装方法。
【請求項５】
前記カバーシート及び前記個装袋の少なくとも一方の先端は、略山型状に形成されて成ることを特徴とする請求項１乃至請求項４のいずれかに記載の吸収性物品の個別包装方法。
【請求項６】
前記吸収体の幅方向中央部には、エンボス加工が施されていることを特徴とする請求項１乃至請求項５のいずれかに記載の吸収性物品の個別包装方法。
【請求項７】
前記吸収性物品は、厚さが１．５ｍｍ〜８ｍｍの生理用ナプキンであることを特徴とする請求項１乃至請求項６のいずれかに記載の吸収性物品の個別包装方法。
【発明の詳細な説明】
【０００１】
【発明の属する技術分野】
本発明は、ショーツ等の下着の内面に貼着されて使用される生理用ナプキン、パンティーライナー等の吸収性物品をコンパクトに個別包装するようにした吸収性物品に個別包装方法に関する。
【０００２】
【従来の技術】
従来、このような吸収性物品、例えば図１０に斜視図で示すような生理用ナプキン１００は、夜用、昼用等の使用目的により種々の形態のものが知られているが、その基本構成は略同一であって、通常、透液性を有するトップシート１０１と、不透液性を有するバックシート１０２と、前記シート間に介在する吸収体１０３とによりナプキン本体１０４が形成され、このナプキン本体１０４の外側、すなわちバックシート１０２の外面にはカバーシート１０５が貼着されている。なお、この例の生理用ナプキン１００では、ナプキン本体１０４の略中央部に略楕円形状の体液溜部１０６が設けられ、この幅方向には、体液漏れ防止用の立体ギャザー１０７が設けられている。
【０００３】
図１１は、図１０のＸ−Ｘ断面図で、この生理用ナプキン１００の詳細な層構成を示したものである。図１１に示すように、この生理用ナプキン１００は、表面側、すなわち着用者の身体と接する側より順に不織布又は樹脂フィルム等から成る透液性のトップシート１０１、ティッシュ１０８で全体が被覆され、綿状パルプや高分子ポリマー等から成る吸収体１０３、不織布等から成るバックシート１０２とによりナプキン本体１０４が形成され、このナプキン本体１０４の外側、すなわちバックシート１０２の外面には、カバーシート１０５が止着部１０９を介して貼着されている。このカバーシート１０５は剥離性を有しており、バックシート１０２の外面に塗設された止着部１０９を保護すると共に、生理用ナプキン１００を個別に包装するために設けられている。また、このカバーシート１０５は生理用ナプキン１００を包み込むことが出来るように、生理用ナプキン１００より若干大きなサイズに形成されている。
【０００４】
このような生理用ナプキン１００の生理用ナプキンの個別包装方法として、従来、カバーシート１０５を長手方向と直交する方向に設定された複数本、例えば４本の折り込み線に沿って折り込み、さらに長手方向に三つ折りした後、止着テープ１１０で止着して成る生理用ナプキン１００の個別包装方法が提案されている（例えば、特許文献１参照。）。
【０００５】
しかしながら、このような生理用ナプキン１００の個別包装方法では、生理用ナプキン本体１０４に、図１２に示すような折り跡がつくため、生理用ナプキン１００の着用時にはこの折り跡を直す必要があり、このため手間がかかっていた。また、この折り跡をきちんと直さずに装着すると、フィット性がないため着用者の経血等の体液が漏れるという問題があった。特に、薄手のナプキンの場合においては、そのフラットな構造のために身体とナプキン本体１０４との間に隙間が生じ易くなり、体液がさらに漏れ易いという問題があった。
【０００６】
【特許文献１】
特開平１０−３０５０５９号公報
【０００７】
【発明が解決しようとする課題】
本発明は、上述したような実情に鑑みてなされたもので、その目的とするところは、生理用ナプキンをコンパクトな形状に折り込むことにより携行に便利で、着用時にはカバーシートの折り跡の手直しを必要とせず、かつ体液等の漏れを防止することができるようにした吸収性物品の個別包装方法を提供することにある。
【０００８】
【課題を解決するための手段】
本発明の上記目的は、少なくとも、透液性を有するトップシートと、不透液性を有するバックシートと、前記シート間に介在する吸収体とにより本体が形成され、該本体の前記バックシートの外面に下着の内面に貼着する止着部が形成されて成る吸収性物品において、前記カバーシートを長手方向と直交する方向に設定された複数本の折り込み線に沿って内側に折り込んだ後、前記直交する方向に二つ折りして成ることを特徴とする吸収性物品の個別包装方法を提供することにより、達成される。
【０００９】
また、本発明の上記目的は、前記カバーシートは、２本の折り込み線に沿って長手方向に三つ折りにされていることを特徴とする吸収性物品の個別包装方法を提供することにより、効果的に達成される。
【００１０】
また、本発明の上記目的は、少なくとも透液性を有するトップシートと、不透液性を有するバックシートと、前記シート間に介在する吸収体とにより本体が形成され、該本体の前記バックシートの外面に下着の内面に貼着する止着部が形成され、前記止着部を保護する離型紙が貼着され、個装袋に収納されて成る吸収性物品において、前記本体及び前記離型紙を長手方向と直交する方向に設定された複数本の折り込み線に沿って内側に折り込み、前記個装袋に収納した後、該個装袋を前記直交する方向に二つ折りして成ることを特徴とする吸収性物品の個別包装方法を提供することにより、達成される。
【００１１】
また、本発明の上記目的は、前記本体及び前記離型紙は、２本の折り込み線に沿って長手方向に三つ折りにされていることを特徴とする請求項２に記載の吸収性物品の個別包装方法を提供することにより、効果的に達成される。
【００１２】
また、本発明の上記目的は、前記カバーシート及び前記個装袋の少なくとも一方の先端は、略山型状に形成されて成ることを特徴とする吸収性物品の個別包装方法を提供することにより、より効果的に達成される。
【００１３】
また、本発明の上記目的は、前記吸収体の幅方向中央部には、エンボス加工が施されていることを特徴とする吸収性物品の個別包装方法を提供することにより、より一層効果的に達成される。
【００１４】
さらにまた、前記吸収性物品は、厚さが１．５ｍｍ〜８ｍｍの生理用ナプキンであることを特徴とする吸収性物品の個別包装方法を提供することにより、より一層効果的に達成される。
【００１５】
【発明の実施の形態】
以下、本発明の好ましい実施形態について、図面を参照しながら詳細に説明する。
【００１６】
図１は、本発明の第１実施例に係る生理用ナプキン２００のナプキン本体２０４をカバーシート２０５に載置した状態を示す上面図である。なお、本生理用ナプキン２００は、生理用ナプキン２００の個別包装形態を除くその他の構成については、前記生理用ナプキン１００と実質的に同一である。このため、本生理用ナプキン２００では生理用ナプキン１００と対応する構成要素については、２００番台の対応する同一番号を付して説明する。
【００１７】
図１に示すように、本発明に係る生理用ナプキン２００では、ナプキン本体２０４の幅Ｗが少なくとも５５ｍｍ以上に設定され、また後述するように、ナプキン本体２０４及びカバーシート２０５を折り込んだ際に長手方向に平行な折り込み線がナプキン本体２０４の幅方向の中央部になるように、カバーシート２０５の上部の幅Ｐが２ｍｍ以上となるように設定されており、ナプキン本体２０４がカバーシート２０５に載置される。
【００１８】
なお、本発明に係る生理用ナプキン２００は、従来の生理用ナプキン１００と同様に、トップシート２０１と、バックシート２０２と、前記シート間に介在し、ティッシュ２０８で全体を被覆された吸収体２０３とによりナプキン本体２０４が形成され、また、このナプキン本体２０４の外側、すなわちバックシート２０２の外面には、カバーシート２０５が止着部２０９を介して貼着されている。
【００１９】
本生理用ナプキン２００では、ナプキン本体２０４の幅方向の中央部にエンボス加工２１１が直線状に施されている。このようにエンボス加工２１１を施すと、経血等の体液が吸収体２０３に一層吸収され易くなるので、トップシート２０１への体液の逆戻り（ｗｅｔ  ｂａｃｋ）がなくなると共に、後述するようにナプキン本体２０４及びカバーシート２０５が折り込み易くなり、また折り跡が付け易くなる。
【００２０】
ここに、トップシート２０１には、体液を吸収体２０３へ透過させる透液性のシートであって、肌着に近い感触を有し、きめが細かく繊維密度が高い素材、例えば不織布等、若しくは液透過性や液戻り防止性に優れている素材、例えばポリエチレン、ポリプロピレン、又は酢酸ビニル重合体等から成る樹脂フィルム等が好ましく用いられる。
【００２１】
一方、バックシート２０２には、吸収体２０３に吸収された体液を外に透過させない不透液性のシートであって、透湿性を有する素材、例えばポリエチレンやポリプロピレン等のオレフィン系樹脂に無機充填材を溶融混練したものを、延伸処理した微多孔性シート等が好ましく用いられる。
【００２２】
吸収体２０３には、解繊ポリマーを主体とした高分子ポリマーを併用した物、熱可塑性樹脂、あるいはセルロース繊維等が好ましく用いられる。この吸収体２０３はティッシュ２０８によりその全体が被覆されている。
【００２３】
また、カバーシート２０５には、薄くかつ柔軟な素材、例えばポリエチレン、ポリプロピレン、ポリエチレンテレフタレート等が好ましく用いられる。また、このカバーシート１０５は、バックシート２０２側の表面にシリコン処理を施して、離型処理面を形成している。なお、この離型処理面は止着部２０９の表面を剥離可能に被覆することができるように、止着部２０９よりも大きな面積で形成することが好ましい。さらに、このバックシートは使用済みのナプキン本体２０４を包装して廃棄することに使用することができる。
【００２４】
本生理用ナプキン２００では、カバーシート２０５は、図１に示すように先端部分が略山型形状に形成されている。先端部分２１２を略山型形状に形成することにより、折り込んだ時にカバーシート２０５の端が見た目にも分かり易くなると共に、指先で開け易くなるという効果がある。なお、このカバーシート２０５の形状は、カバーシート２０５の一方の先端部のみを略山型形状に形成すること、或いはカバーシート２０５を矩形状に形成する等種々の変更が可能である。
【００２５】
次に、以上のとおり構成された本生理用ナプキン２００の個別包装方法を、図２〜図５に基づき説明する。
【００２６】
先ず、図２及び図３に示すように、先ずナプキン本体２０４が内側に配置され、このナプキン本体２０４及びカバーシート２０５を長手方向に直交する方向に設定され、図１に示す折り込み線２１３，２１４に沿って、長手方向の両端から夫々内側に折り込んで三つ折りとする。このとき、図２に示すように先端部が略山型に形成されていない方、すなわち切欠された方２１８を先に折り込み、そして図３に示すように、略山型状に形成された先端部２１２を折り込む。このように折り込むことにより、カバーシート２０５の略山型形状に形成された先端部分２１２が上になるので、開封する時に一目で先端が分かり、開封し易くなる。なお、この三つ折りの状態でナプキン本体２０４の着用者の肌に触れる部分が全て被覆されていることが好ましい。これにより、着用者に清潔感を与えることができるからである。
【００２７】
そして、図４に示すように、ナプキン本体２０４及びカバーシート２０５を三つ折りにした後、三つ折りとされたカバーシート２０５の両サイド２１５，２１６をそれぞれ加熱融着によりシールする。これにより、個装内に埃や水分等のゴミが入るのを防止することができる。なお、シールする方法は加熱融着によるものに限定されず、その他公知の手段を用いてもよい。
【００２８】
次に、図５に示すようにナプキン本体２０４及びカバーシーよ２０５を折り込み線２１３，２１４に直交する方向の折り込み線２１７に沿って、二つ折りにして６層に重ねて形成する。この時、ナプキン本体２０４の幅方向の中央部に折り跡がつくように二つ折りにする。また、図５に示すように折り込んだ時のサイド２１５とサイド２１６の幅Ｔは、止着テープ２１０の施工性及び剥離性の観点から、１０ｍｍ以上であることが好ましい。なお、この止着テープ２１０は本実施例においては、剥離可能に形成されているが、剥離できないものであってもよい。
【００２９】
上述したように折り込むことにより、図６に示すように、ナプキン本体２０４の幅方向の中央部には谷折りの折り跡２１９がつき、ナプキン本体２０４の両端部には山折りの折り跡２２０がつく。このように、ナプキン本体２０４の中央部に谷折りの折り跡２１９がつき、この折り跡２１９が排血口付近に位置されるので、体液が吸収体２０３に吸収され易くなり、体液の漏れを防止することができる。また両端部に山折りの折り跡２２０がつき、この折り跡２２０が着用者の股間部の凹溝にフィットするので前後の漏れを防止することができる。
【００３０】
また、生理用ナプキン２００を非常にコンパクトに個装することができるので、そのまま折り返さずに他人から見えないように着用者の手の中に保持することが可能となる。従って、着用者のプライバシーを保護することができるという利点もある。
【００３１】
【実施例】
ここで、本発明に係る生理用ナプキン２００のナプキン本体２０４の好ましい厚さにつき、次のような実験を行った。
【００３２】
なお、ナプキン本体２０４の厚さは、カトーテック社製のＫＥＳ−Ｇ５試験機を用い、下記の設定で０．５ｇｆ／ｃｍ２の荷重を加えた時の厚さ（初期厚み）とした。
【００３３】
・ＳＥＮＳ：２．０
・力計の種類：１ｋｇ
・スピードレンジ：０．１ｃｍ／ｓｅｃｏｎｄ
・ＤＥＦ感度：２０ｍｍ／１０Ｖ
・加圧面積：２ｃｍ２
・取り込み間隔：０．１ｓｅｃｏｎｄ
・ストロークセット：５．０（上限荷重５０ｇｆ／ｃｍ２）
・初期厚み：０．５ｇｆ／ｃｍ２の荷重が試料に加わった時の厚み
【表１】
2004290541.tif 000003
表１は本生理用ナプキン２００におけるナプキン本体２０４の種々の厚み及び６層に折り込んだ時の個装の厚みを表したものである。表１において、官能評価とはナプキン本体２０４を上記実施例のように折り込むことに適しているか否かを判断基準、すなわち◎印の「非常に適している」、○印の「特に適している」、△印の「適している」、×印の「適していない」の４段階で表したものである。
【００３４】
この結果、表１に示すように、本実施例に係る個別包装方法を適用できるナプキン本体２０４の厚さは８ｍｍ以下、好ましくは６．５ｍｍ以下の薄手なものがよいことが判明した。
【００３５】
以上、本発明を一実施例に基づき説明したが、本発明は上記実施例に限定されるものではなく、次のような変更が可能である。
【００３６】
図７〜図９は、本発明の他の実施例に係る生理用ナプキン２００Ａの個別包装の方法を示す図である。なお、本生理用ナプキン２００Ａは、カバーシート２０５Ａの形状及び個別包装の方法を除くその他の構成については、前記生理用ナプキン２００と実質的に同一であるので、以下では前記生理用ナプキン２００と対応する構成要素には同一番号に符号Ａを付して説明する。
【００３７】
本生理用ナプキン２００Ａのカバーシート２０５Ａは長方形に形成されている。生理用ナプキン２００Ａの個別包装の方法は、先ずナプキン本体２０４Ａの長手方向に二つ折りにし、側縁部２１５Ａ，２１５Ａ，２１６Ａをシールした後、幅方向に二つ折りにし、４層に折り込むものである。この方法は、上記実施例のように６層にすることが困難な生理用ナプキンである場合、又はコンパクトな生理用ナプキンであるので６層に折り込むとコンパクトになりすぎてしまう場合等に特に効果がある。
【００３８】
このように、本発明に係る個別包装の方法によれば、生理用ナプキンの大きさ及び厚さにより適宜変更を加えることであらゆる種類の生理用ナプキンをコンパクトに個別包装することができる。
【００３９】
以上、本発明の内容を止着部を保護する離型紙と個装フィルムが一体成形されたカバーシートについて説明したが、本発明はこのようなカバーシートに限らず、止着部を保護する離型紙を貼着した後、ナプキン本体及び離型紙を長手方向と直行する方向に設定された複数本の折り込み線に沿って内側に折り込み、個装袋に収納した後、ナプキン本体が収納された個装袋を上記直交する方向に２つ折りにしても、前記同様の効果が得られる。
【００４０】
また、本発明の内容を吸収性物品が、ウィングのない生理用ナプキンの場合を例に説明したが、本発明はこのような生理用ナプキンに限られず、この他ウィングを有する生理用ナプキン、パンティーライナー等の公知の吸収性物品についても適用することができる。
【００４１】
【発明の効果】
以上に詳述したように、本発明に係る吸収性物品の個別包装方法によれば、吸収性物品の個装形状をコンパクトにできるので、バック等の収納スペースを大きく占有することがなく、携行が大変便利になる。また、折り畳まずに着用者の手の中に保持することができるので、着用者のプライバシーを保護することも可能となる。
【００４２】
また、折り込み跡を手直しする必要がなくなり、また着用者のフィット感が向上されるので体液の漏れを防止することができるという効果がある。
【００４３】
さらに、本発明に係る個別包装の方法は、製造ライン上で９０度反転させるだけで実施できるので大規模な設備改造を必要としないという効果がある。
【図面の簡単な説明】
【図１】本発明の実施例に係る生理用ナプキンのナプキン本体をカバーシートに載置した状態を示す上面図である。
【図２】本発明の実施例に係る折り込み方法を示す上面図である。
【図３】本発明の実施例に係る折り込み方法を示す上面図である。
【図４】本発明の実施例に係る折り込み方法を示す上面図である。
【図５】本発明の実施例に係る折り込み方法を示す上面図である。
【図６】本発明の実施例に係る折り込み方法における折り跡を示す上面図である。
【図７】本発明の他の実施例に係る折り込み方法を示す上面図である。
【図８】本発明の他の実施例に係る折り込み方法を示す上面図である。
【図９】本発明の他の実施例に係る折り込み方法を示す上面図である。
【図１０】従来の生理用ナプキンの斜視図である。
【図１１】図１０のＸ−Ｘ断面図である。
【図１２】従来の生理用ナプキンの個別包装方法による折り跡を示す上面図である。
【符号の説明】
１０１，２０１      トップシート
１０２，２０２      バックシート
１０３，２０３      吸収体
１０４，２０４      ナプキン本体
１０５，２０５      カバーシート
１０９，２０９      止着部
２１１              エンボス加工
【図１】
2004290541.tif 000004
【図２】
2004290541.tif 000005
【図３】
2004290541.tif 000006
【図４】
2004290541.tif 000007
【図５】
2004290541.tif 000008
【図６】
2004290541.tif 000009
【図７】
2004290541.tif 000010
【図８】
2004290541.tif 000011
【図９】
2004290541.tif 000012
【図１０】
2004290541.tif 000013
【図１１】
2004290541.tif 000014
【図１２】
2004290541.tif 000015